(57)【要約】【課題】  一般的なメガネフレームのデザインでありながら、食事を行う際料理を拡大して見ることができダイエット効果を得ることができる拡大鏡によるダイエットメガネを提供する。【解決手段】  メガネの一対のレンズの両方を、各々中央の水平方向の区画線領域を境界に上半部と下半部にその面積を２分し、上記レンズの上半部の領域は度なしの非矯正レンズとし、上記レンズの下半部の領域は、上記区画線領域より下方のレンズ面積の全体を、凸レンズを使用した拡大鏡により構成し、使用者が当該メガネをかけて上記凸レンズを通して物体を目視した場合、使用者は、上記凸レンズを通して当該使用者の明視域における上記物体の拡大された虚像を見ることにより、上記メガネを通して上記物体を拡大して目視し得るように構成する。【選択図】  図１
2014013353.tif 000002
【特許請求の範囲】
【請求項１】
メガネの一対のレンズの両方を、各々中央の水平方向の区画線領域を境界に上半部と下半部にその面積を２分し、
上記レンズの上半部の領域は度なしの非矯正レンズとし、
上記レンズの下半部の領域は、上記区画線領域より下方のレンズ面積の全体を、凸レンズを使用した拡大鏡により構成し、
使用者が当該メガネをかけて上記凸レンズを通して物体を目視した場合、使用者は、上記凸レンズを通して当該使用者の明視域における上記物体の拡大された虚像を見ることにより、上記メガネを通して上記物体を拡大して目視し得るように構成したものである拡大鏡によるダイエットメガネ。
【請求項２】
上記メガネのフレームは、上記レンズを支持するフレーム部と、使用者の耳にかける弦部とからなる日常的に使用可能な一般的なデザインからなるものである請求項１記載の拡大鏡によるダイエットメガネ。
【請求項３】
上記レンズの上半部の領域は、近視用の矯正レンズ、又は、遠視用の矯正レンズからなるものである請求項１又は２記載の拡大鏡からなるダイエットメガネ。
【発明の詳細な説明】
【技術分野】
【０００１】
本発明は、料理等を拡大して見ることによってダイエット効果を得るための拡大鏡によるダイエットメガネに関するものである。
【背景技術】
【０００２】
従来、各種のダイエット法が行われているが、食事を行う際、特定の色のカラーのメガネをかけることで幸福感を高め、食欲を低減することで、ダイエットを行う方法（特許文献１参照）が提案されている。
【０００３】
また、一部のテレビ報道において、ビデオカメラで料理を撮影し、撮影した料理画像を画像処理により拡大し、拡大画像信号をメガネのモニタ部に送信し、当該メガネをかけることにより、上記モニタ部を通して料理の拡大画像を見ることができるようにし、かかる拡大画像を見ながら食事をすることにより、通常より多くの料理を食べたような感覚等を生じさせ、これによりダイエット効果を得る方法が紹介されている。
【先行技術文献】
【特許文献】
【０００４】
【特許文献１】特開２０１１−１００００２号
【特許文献２】特開平１１−２７５４２２号
【特許文献３】特開２００６−１６９６６９号
【発明の概要】
【発明が解決しようとする課題】
【０００５】
ところで、特許文献１の方法では、食事の際に、パステルピンク又はパステルブルーの色のついたメガネをかける必要があり、自宅においては良いが、レストラン等において、そのようなメガネを掛けることに抵抗を感じる場合が多い。
【０００６】
一方、料理画像を拡大処理するメガネを使用する場合は、例えば特許文献２に示すようなテレビカメラを具備するゴーグル型のメガネをかけ、かつ画像処理を行うための有線又は無線のコンピュータ装置が必要となり、装置が大掛かりであり、このような装置をレンストラン等において装着して食事を行うことは、非常に不自然である。
【０００７】
物を拡大して見るための拡大鏡としては例えば特許文献３に示すような両目用の拡大鏡が存在するが、このような拡大鏡を装着して食事を行うことも不自然である。
【０００８】
さらに、図５に示すように、いわゆるルーペとして使用される小領域の拡大レンズ部１０，１０を左右一対として、メガネレンズ１３，１３に取り付けた照明１１，１１付の拡大鏡メガネが市販されているが、主に作業用であって、通常のメガネの上からもかけられるようにフレーム１２全体が非常に大きくデザインされており、レストランでの食事等に違和感なく使用できるものではない。
【０００９】
そこで、ダイエットに効果的で、かつ、レストラン等においても抵抗なく装着することができるメガネの開発が望まれている。
【００１０】
本発明は上記課題に鑑みてなされたものであり、ごく一般的なメガネフレームのデザインでありながら、食事を行う際、料理を拡大して見ることができ、ダイエット効果を得ることができる拡大鏡によるダイエットメガネを提供することを目的とする。
【００１１】
また本発明は、食事を行う際、料理を拡大して見ることができると共に、食事をしながら、テレビ等を視聴する際は、拡大することなく、通常のレンズを通して普通に見ることができる拡大鏡によるダイエットメガネを提供することを目的とする。
【課題を解決するための手段】
【００１２】
上記の目的を達成するため本発明は、
第１に、メガネの一対のレンズの両方を、各々中央の水平方向の区画線領域を境界に上半部と下半部にその面積を２分し、上記レンズの上半部の領域は度なしの非矯正レンズとし、上記レンズの下半部の領域は、上記区画線領域より下方のレンズ面積の全体を、凸レンズを使用した拡大鏡により構成し、使用者が当該メガネをかけて上記凸レンズを通して物体を目視した場合、使用者は、上記凸レンズを通して当該使用者の明視域における上記物体の拡大された虚像を見ることにより、上記メガネを通して上記物体を拡大して目視し得るように構成したものである拡大鏡によるダイエットメガネにより構成される。
【００１３】
上記区画線領域とは区画線（Ｌ）に沿う水平方向の領域をいう。このように構成すると、このダイエットメガネをかけて食事をする場合、レンズの下半部領域の凸レンズを介して料理を見ることにより、料理が拡大して見えるので、料理が普通盛りであれば、大盛りに見え、これにより仮想的に通常より多くの料理を食べているという感覚が生じ、仮想の満腹感と満足感を得ることができる。また、上記料理の食材を箸でつかんで口元に持ってきた場合、当該食材も拡大されて見える。よって使用者は、通常より大きい食材を食べているという感覚を生じ、上記と同様の仮想の満腹感と満足感を得ることができる。また、このような仮想の満腹感、満足感により、全体として食べる食事量が制限され、ダイエット効果が期待できる。また、ダイエットメガネの使用者は、口元で食材が拡大して見えるので、箸でつかむ食材の量が実際よりも少なくなり、その結果、食事時間が通常より延長されることになり、満腹感と満足感が現実のものとなって、さらなるダイエット効果が得られる。
【００１４】
第２に、上記メガネのフレームは、上記レンズを支持するフレーム部と、使用者の耳にかける弦部とからなる日常的に使用可能な一般的なデザインからなるものである上記第１記載の拡大鏡によるダイエットメガネにより構成される。
【００１５】
上記メガネのフレームの日常的に使用可能な一般的なデザインとは、例えば一対のレンズを各々支持する左右独立した一対のフレーム部（２ａ，２ａ）を有し、上記一対のフレーム部（２ａ，２ａ）間には鼻掛け部（２ｃ）が存在し、上記フレーム部（２ａ，２ａ）の両端部には、耳に掛ける一対の弦部（２ｂ，２ｂ）を有するものであり、一般人が日常的に使用しても何ら違和感のないデザインをいう。例えば、図５に示す照明付きの作業用の拡大メガネ、或いは、左右のレンズが一体化された拡大メガネ（例えば実開平４−９９１８号公報）等は含まれない。このように構成すると、見た目は通常のメガネと同様のデザインなので、外食時、レストラン等においても違和感なく使用可能であり、ダイエットしていることを気付かれることもない。
【００１６】
第３に、上記レンズの上半部の領域は、近視用の矯正レンズ、又は、遠視用の矯正レンズからなるものである上記第１又は２記載の拡大鏡からなるダイエットメガネにより構成される。
【００１７】
このように構成すると、例えばメガネの使用者が近視の場合は、レンズの上半部を近視用の矯正レンズとすることにより、食事をしながらテレビを見る、という動作を違和感なく行うことができる。
【発明の効果】
【００１８】
上述のように本発明は、ダイエットメガネをかけて食事をする場合、料理が拡大して見えるので、料理が普通盛りであれば、大盛りに見え、これにより仮想的に通常より多くの料理を食べているという感覚が生じ、仮想の満腹感と満足感を得ることができる。
【００１９】
また、上記料理の食材を例えば箸でつかんで口元に持ってきた場合、当該食材も拡大されて見える。よって使用者は、通常より大きい食材を食べているという感覚が生じ、上記と同様の仮想の満腹感と満足感を得ることができる。
【００２０】
また、このような仮想の満腹感、満足感により、全体として食べる食事量が制限され、ダイエット効果が期待できる。またダイエットメガネの使用者は、口元で食材が拡大して見えるので、箸でつかむ食材の量が実際よりも少なくなり、その結果、食事時間が通常より延長されることになり、満腹感と満足感が現実のものとなって、さらなるダイエット効果が得られる。
【００２１】
また、見た目は通常のメガネと同様のデザインなので、外食時、レストラン等においても違和感なく使用可能であり、ダイエットしていることを気付かれることもない。
【００２２】
また、例えばメガネの使用者が近視の場合は、レンズの上半部を近視用の矯正レンズとすることにより、食事をしながらテレビを見る、という動作を違和感なく行うことができる。
【図面の簡単な説明】
【００２３】
【図１】本発明に係る拡大鏡によるダイエットメガネの斜視図である。
【図２】同上ダイエットメガネのレンズの断面図である。
【図３】同上ダイエットメガネを使用者がかけた状態の説明図である。
【図４】（ａ）は同上ダイエットメガネで料理を見た状態の図、（ｂ）は同上ダイエットメガネで料理が拡大視される様子を示す料理の説明図である。
【図５】従来の照明付きの拡大鏡メガネの斜視図である。
【発明を実施するための形態】
【００２４】
以下、本発明に係る拡大鏡によるダイエットメガネを詳細に説明する。
図１は上記ダイエットメガネ１の斜視図であり、当該メガネ１のフレーム２は、使用者が日常的に使用可能な一般的なデザインのものであり、一般の男性又は女性のだれもが違和感なく掛けることのできるデザインに形成されている。ここで、上記日常的に使用可能なフレーム２の一般的なデザインとは、例えば一対のレンズを各々支持する左右独立した一対のフレーム部２ａ，２ａを有し、上記一対のフレーム部２ａ，２ａ間には鼻掛け部２ｃが存在し、上記フレーム部２ａ，２ａの両端部には、耳に掛ける一対の弦部２ｂ，２ｂを有するものであり、一般人が日常的に使用しても何ら違和感のないデザインをいう。
【００２５】
このダイエットメガネ１の左右のレンズ３，３は、無色透明であり、そのレンズ面積の略中央部に水平方向の区画線Ｌ，Ｌが設けられており、レンズ面積全体の約１／２の上半部３ａ，３ａと、レンズ面積全体の約１／２の下半部３ｂ，３ｂに分割されている。尚、日常的に使用可能であれば、上記レンズ３に多少の色をつけても良い。また、上記区画線Ｌ，Ｌは上半部３ａ，３ａのレンズとの段差をアール状にすることにより、目立たなくすることもできる。
【００２６】
上記レンズ３，３の上半部３ａ，３ａは、視力を矯正することのない、非矯正レンズから構成しても良いし、当該ダイエットメガネ１の使用者の眼の視力状況に応じて、近視用の矯正レンズ、遠視用の矯正レンズ、乱視用の矯正レンズ、これらの組合せからなる矯正レンズの何れにより構成しても良い。
【００２７】
上記下半部３ｂ，３ｂは、ルーペに用いられるレンズのように物を拡大して見ることができる凸レンズ３ｂ”から構成される拡大レンズ（拡大鏡）３ｂ’であり、当該拡大レンズ３ｂ’を通して物を見た場合、約１．２倍〜２倍の大きさで見ることができるものである。上記メガネ１のレンズ３の断面図を図２に示す。
【００２８】
上記上半部３ａの部分は、レンズの内表面３ａｉの曲率半径ｒｉと、レンズの外表面３ａｏの曲率半径ｒｏを同一とした場合は、度数のない非矯正レンズとなり、ｒｏ＞ｒｉとすることにより、近視用の矯正レンズとすることができ、ｒｉ＞ｒｏとすることにより、遠視用の矯正レンズとすることができる。また、レンズ３の度数は、上記内表面３ａｉの曲率と上記外表面３ａｏの曲率によって設定される。
【００２９】
上記下半部３ｂの部分は、上記区画線Ｌから下の外表面３ａｏを外側に突出させて、下半部３ｂ全体を凸レンズ３ｂ”とすることにより構成することができる。
【００３０】
かかる構成からなるメガネ１を使用者がかけた場合の使用者の目５とレンズ３との関係を図３に示す。この場合、使用者の目５はレンズ３の凸レンズ３ｂ”の後側焦点の内側に位置しているものとする。
【００３１】
かかる状態において、上記凸レンズ３ｂ”の前側焦点の位置をＦとし、当該メガネ１の使用者の近点をＮ１、遠点をＮ２、Ｎ１〜Ｎ２を明視域Ｅとし、使用者の目５の水晶体４から上記近点Ｎ１までの距離を約２５０ｍｍとする。
【００３２】
この場合、使用者が凸レンズ３ｂ”を通して見る物体を物体Ｇ１，Ｇ２、使用者に見える物体Ｇ１，Ｇ２の拡大された虚像を各々虚像Ｇ１’，Ｇ２’とする。
【００３３】
使用者が上記凸レンズ３ｂ”を通して、前側焦点Ｆより手前の物体Ｇ１を見た場合は、当該物体Ｇ１は明視域Ｅにおいて拡大された虚像Ｇ１’として見ることができる。また、使用者が上記凸レンズ３ｂ”を通して、前側焦点Ｆより後方の物体Ｇ２を見た場合は、当該物体Ｇ２は明視域Ｅにおいて拡大された虚像Ｇ２’として見ることができる。この場合の拡大の倍率は凸レンズ３ｂ”に基づくが、その倍率はダイエットの実現という点からすると、上述のように１．２倍〜２倍程度が好ましい。
【００３４】
このように、使用者の目５を凸レンズ３ｂ”の後側焦点より内側に位置するように、当該目５を凸レンズ３ｂ”に近づけた場合、即ち、当該メガネ１を使用者がかけた状態においては、虚像Ｇ１’，Ｇ２’が使用者の明視域Ｅの範囲に入る場合は、上記物体Ｇ１，Ｇ２を虚像として拡大して見ることができる。
【００３５】
従って、食事をする場合は、上記物体Ｇ２は、テーブル上の料理の位置に略相当しており、上記物体Ｇ１は、テーブル上の料理を箸でつかんで口元に運んだ位置に略相当しているため、当該メガネ１をかけて食事をする場合、テーブル上に並んだ料理及び箸で口元に運んだ食材の何れも拡大して見ることができる。
【００３６】
本発明の拡大鏡によるダイエットメガネは上述のように構成されるので、食事を行う場合は、当該メガネ１をかけた状態で、図４（ａ）に示すように、視線をレンズ３の区画線Ｌより下方に向けて、下半分３ｂの凸レンズ３ｂ”を通してテーブル上の料理Ｒを見ながら、食事を行えば良い。
【００３７】
この場合、テーブル上の料理Ｒの位置は、使用者の目５の近点Ｎ１近傍、よって使用者の目５の水晶体４の中心から略２５０ｍｍの位置（図３の物体Ｇ２近傍の位置）にあるので、使用者は上記料理Ｒの拡大された虚像Ｇ２’を明視域Ｅ内にて見ることができる。よって、図４（ｂ）に示すように、料理Ｒは約１．２倍から２倍（例えば約１．５倍）拡大され、実際の大きさよりも拡大されて見える。
【００３８】
従って、使用者には上記料理Ｒが普通盛りであれば、大盛りに見え、例えばビールであれば、中ジョッキが大ジョッキに見えるので、仮想的に通常より多くの料理を食べているという感覚が生じ、これにより仮想の満腹感と満足感を得ることができる。
【００３９】
上記料理Ｒの食材を箸でつかんで口元に持ってきた場合、上記食材は図３の物体Ｇ１近傍の位置に到来する。よって、上記メガネ１の使用者は、メガネ１の下半部の凸レンズ３ｂ”を通して上記食材を見ることになり、当該食材の拡大された虚像Ｇ１’を明視域Ｅにて見ることになる。よって、口元に持ってきた食材も、約１．２倍〜２倍（例えば約１．５倍）に拡大され、実際の大きさよりも拡大されたものに見える。
【００４０】
そうすると、メガネ１の使用者は、通常より１．２倍〜２倍（例えば１．５倍）の大きさの料理材料を食べているという感覚が生じ、上記と同様の仮想の満腹感と満足感を得ることができる。このような仮想の満腹感、満足感により、全体として食べる食事量が制限され、ダイエット効果が期待できる。
【００４１】
また、メガネ１の使用者は、本人の生活習慣により、一口サイズの食材を箸で口に運ぶが、口元で料理材料が１．２倍〜２倍（例えば１．５倍）に拡大して見えるので、箸でつかむ食材の量が実際よりも相対的に少なくなる。これにより、実際に口元に運ぶ食材の量が通常より少なくなり、その結果、食事時間が通常より延長されることになり、満腹感と満足感が現実のものとなり、さらなるダイエット効果が期待できる。
【００４２】
また、食事中の使用のみでダイエットができ、見た目は通常のメガネと同様のデザインなので、外食時、レストラン等においても違和感なく使用可能であり、ダイエットしていることを気付かれることもない。
【００４３】
また、食事中に正面に座っている人と話をする場合、或いは、自宅でテレビを見ながら食事をする場合は、図３に使用者の目５と視線を破線にて示すように、視線を上げて、メガネ１の上半部３ａのレンズ３を通して、人又はテレビを見ることになるが、この場合は、上半部３ａのレンズ３は拡大機能のない通常のレンズであるため、何ら違和感なく、正面の人を見て話をすることができるし、又は、テレビを見ることができる。
【００４４】
このとき、上半分３ａのレンズ３を使用者の視力に合わせて近視用の矯正レンズ又は遠視用の矯正レンズとすれば、例えば食事をしながら、テレビを見る際は視線を上げて、上半部３ａのレンズ３からテレビを見ることにより、上半部３ａ，３ａの矯正レンズを通してテレビの画像を明瞭に見ることができ、食事をしながらテレビを見る等の行為を支障なく行うことができる。
【００４５】
以上のように本発明は、ダイエットメガネ１をかけて食事をする場合、料理が拡大して見えるので、料理Ｒが普通盛りであれば、大盛りに見え、これにより仮想的に通常より多くの料理を食べているという感覚が生じ、仮想の満腹感と満足感を得ることができる。
【００４６】
また、上記料理Ｒの食材を例えば箸でつかんで口元に持ってきた場合、当該食材も拡大されて見えるので、使用者は、通常より大きい食材を食べているという感覚を生じ、同様に仮想の満腹感と満足感を得ることができる。
【００４７】
また、このような仮想の満腹感、満足感により、全体として食べる食事量が制限され、ダイエット効果が期待できる。またダイエットメガネの使用者は、口元で食材が拡大して見えるので、箸でつかむ食材の量が実際よりも少なくなり、その結果、食事量が制限されると共に、食事時間が通常より延長されることになり、満腹感と満足感が現実のものとなって、さらなるダイエット効果が得られる。
【００４８】
また、見た目は通常のメガネと同様のデザインなので、外食時、レストラン等においても違和感なく使用可能であり、ダイエットしていることを気付かれることもない。
【００４９】
また、例えばメガネの使用者が近視、遠視等の場合は、レンズ３の上半部３ａを近視用又は遠視用等の矯正レンズとすることにより、食事をしながらテレビを見る、或いは、食事をしながら正面に座っている相手と話をする等の動作を違和感なく行うことができる。
【００５０】
また、レンズ３の面積の略半分の下半部３ｂの広い面積を拡大鏡３ｂ’（凸レンズ３ｂ”）としているため、拡大視できるレンズ３の領域が広く、従って、テーブルに並べられた料理の全体を拡大して見ることができ、効果的にダイエット効果を得ることができる。
【産業上の利用可能性】
【００５１】
本発明の拡大鏡によるダイエットメガネは、デザインが通常のメガネと同様なので、レストランでの食事等のように外食時においても何ら違和感なく使用することができ、効果的なダイエットを実現することができる。
【符号の説明】
【００５２】
１              メガネ
２              フレーム
２ａ            フレーム部
２ｂ            弦部
３              レンズ
３ａ            上半部
３ｂ            下半部
３ｂ’          拡大レンズ（拡大鏡）
３ｂ”          凸レンズ
Ｌ              区画線
Ｅ              明視域
Ｇ１，Ｇ２      物体
Ｇ１’，Ｇ２’  虚像
【図１】
2014013353.tif 000003
【図２】
2014013353.tif 000004
【図３】
2014013353.tif 000005
【図４】
2014013353.tif 000006
【図５】
2014013353.tif 000007